(57)【要約】本発明は、電気及び／又は電子的な組込み体を収容するケーシングであって、ケーシング本体が設けられていて、該ケーシング本体が本体前面の領域に２つの鉛直な成形脚を有しており、両成形脚にケーシング内室に向けられてホルダが固定されており、該ホルダが支持区分を有しており、さらに支持区分を用いて、規格化された取付け幅を有する回路ユニットトラックが、成形脚の間において固定可能である形式のものに関する。このような形式のケーシングにおいて、ケーシング内室における取付け可能性に関する高められた可変性を可能にするために、本発明の構成では、ホルダの支持区分がケーシング幅の方向で調節装置を用いて少なくとも２つの取付けポジションの間において往復移動調節可能であり、しかも取付けポジションが各１つの規格の取付け幅寸法を決定しているようにした。
2004500713.tif 000002
【特許請求の範囲】
【請求項１】
電気及び／又は電子的な組込み体を収容するケーシングであって、ケーシング本体が設けられていて、該ケーシング本体が本体前面の領域に２つの鉛直な成形脚を有しており、両成形脚にケーシング内室に向けられてホルダが固定されており、該ホルダが支持区分を有しており、さらに支持区分を用いて、規格化された取付け幅を有する回路ユニットトラックが、成形脚の間において固定可能である形式のものにおいて、
ホルダ（３０）の支持区分（３１）がケーシング幅の方向で調節装置を用いて少なくとも２つの取付けポジションの間において往復移動調節可能であり、しかも取付けポジションが各１つの規格の取付け幅寸法を決定していることを特徴とする、電気及び／又は電子的な組込み体を収容するケーシング。
【請求項２】
支持区分が、９．５″の取付け幅寸法と１０″の取付け幅寸法との間において往復移動調節可能である、請求項１記載のケーシング。
【請求項３】
ホルダ（３０）が成形レールとして形成されており、該成形レールが、鉛直方向に延びていて、成形レール長手方向に延びていてアンダカットされた溝として形成された支持区分（３１）を備えている、請求項１又は２記載のケーシング。
【請求項４】
ホルダ（３０）が押出し成形品として形成されている、請求項３記載のケーシング。
【請求項５】
成形脚（１０）が、成形体長手方向に延びている固定溝（１１）を有しており、開放された溝区分の領域に、成形脚（１０）の接触面（１２）が接続されており、ホルダ（３０）が固定区分（３２）で支持されており、アンダカットされた固定溝（１１）内に少なくとも１つのナットが導入されていて、該ナットによって固定区分（３２）がねじ結合されている、請求項１から４までのいずれか１項記載のケーシング。
【請求項６】
固定区分（３２）が、成形脚（１０）の長手方向に対して横方向に配置された長孔を有しており、該長孔内に固定ねじが導入されていて、該固定ねじに、固定溝（１１）内に保持されたナットが螺合されている、請求項５記載のケーシング。
【請求項７】
ホルダ（３０）の支持区分（３１）がケーシング深さの方向において調節可能である、請求項１から６までのいずれか１項記載のケーシング。
【発明の詳細な説明】
【０００１】
本発明は、電気及び／又は電子的な組込み体を収容するケーシングであって、ケーシング本体が設けられていて、該ケーシング本体が本体前面の領域に２つの鉛直な成形脚を有しており、両成形脚にケーシング内室に向けられてホルダが固定されており、該ホルダが支持区分を有しており、さらに支持区分を用いて、規格化された取付け幅を有する回路ユニットトラックが、成形脚の間において固定可能である形式のものに関する。
【０００２】
配電盤キャビネット（Ｓｃｈａｌｔｓｃｈｒａｎｋ）として形成されたこのような形式のケーシングは、ドイツ連邦共和国特許公開第４３４１９４３号明細書に基づいて公知である。このケーシングは支台を有しており、この支台には４つの鉛直な成形脚が固定されている。押出し成形品として形成された成形脚は、ケーシング内室に向けられた収容部を有している。これらの収容部にはホルダを挿入することができる。そしてこれらのホルダは、収容部の接触面に支持される支持面を有している。ホルダは条片状の支持区分を有しており、この支持区分はケーシングの前面に対して平行にかつ間隔をおいて延びている。支持区分には、ケーシング幅の方向に延びる回路ユニットトラックを固定することができる。様々に異なる回路ユニットトラック深さにおいて適合を可能にするために、ホルダはケーシング深さの方向において調節可能である。
【０００３】
ゆえに本発明の課題は、冒頭に述べた形式のケーシングを改良して、ケーシング内室における取付け可能性に関して高められた可変性を可能にするケーシングを、提供することである。
【０００４】
この課題を解決するために本発明の構成では、ホルダの支持区分がケーシング幅の方向で調節装置を用いて少なくとも２つの取付けポジションの間において往復移動調節可能であり、しかも取付けポジションが各１つの規格の取付け幅寸法を決定しているようにした。このように構成されていると、種々様々な取付け系のためのケーシング型式を使用することができる。そしてこの際における適合は簡単に実施可能である。特に、複雑な構成を有する高価な付加アダプタは不要である。
【０００５】
本発明の別の有利な構成では、支持区分が、９．５″の取付け幅寸法と１０″の取付け幅寸法との間において往復移動調節可能である。
【０００６】
本発明によるケーシングにおいて、ホルダが成形レールとして形成されており、該成形レールが、鉛直方向に延びていて、成形レール長手方向に延びていてアンダカットされた溝として形成された支持区分を備えていると、回路ユニットトラックを成形レールに対して高さ調節することができる。そしてこれによって複数の回路ユニットトラックをコンパクトに配列させることができる。また、ホルダが押出し成形品として形成されていて、その中に溝が成形されていると有利である。
【０００７】
１つのホルダには単数又は複数の回路ユニットトラックを固定することができる。例えば複数のホルダが１つの成形脚に互いに上下に設けられているような場合には、回路ユニットトラックを互いに密に段付けして配置することが望ましい。このことに基づいて、本発明の別の有利な構成では、成形脚が、成形体長手方向に延びている固定溝を有しており、開放された溝区分の領域に、成形脚の接触面が接続されており、ホルダが固定区分で支持されており、アンダカットされた固定溝内に少なくとも１つのナットが導入されていて、該ナットによって固定区分がねじ結合されている。
【０００８】
また、固定区分が、成形脚の長手方向に対して横方向に配置された長孔を有しており、該長孔内に固定ねじが導入されていて、該固定ねじに、固定溝内に保持されたナットが螺合されていると、簡単な構造を得ることができる。
【０００９】
本発明のさらに別の構成では、ホルダの支持区分がケーシング深さの方向において調節可能である。
【００１０】
以下においては図面を参照しながら本発明の実施例を説明する。
【００１１】
図１は、カバーを取り去った状態でケーシングを示す図である。
【００１２】
図２は、図１の一部を拡大して示す図である。
【００１３】
図１にはケーシングがカバーを取り去った状態で示されている。ケーシングは４つの鉛直な成形脚（Ｐｒｏｆｉｌｓｃｈｅｎｋｅｌ）１０を有しており、これらの成形脚１０は押出し成形品として形成されている。成形脚１０の横断面ジオメトリは図２に示されており、これについては以下において述べる。図２は図１の一部を取り出して示す図である。同一に形成された成形脚１０は、ケーシング外側に向けられた前面の領域に、アンダカットされた溝１５を有している。溝開口の領域には、ケーシングの前面に対して垂直に位置する接触面１６が接続している。接触面１６は、ケーシングの外側とは反対側の端部において、ケーシングの前面に対して平行に延びる区分に移行している。接触面１６はこの区分と一緒に、ドアヒンジのヒンジ部分２１を収容するために働く。ヒンジ部分２１は固定貫通孔を有している。これらの固定貫通孔を通して固定ねじが貫通案内され、アンダカットされた溝１５内に収容されたナットにねじ込まれることができる。ヒンジ部分２１はジョイント結合部２５を介して別のヒンジ部分２２に接続されている。この別のヒンジ部分２２はねじ結合部２４を用いて前面のドア２３に固定されている。図２から明らかなように、ケーシング外側の領域にはねじ通路１７が、溝１５の溝底部に一体成形されている。ねじ通路１７は底部６０及びカバーを結合するために働き、カバーは図面には示されていないが、実質的に底部６０と同一構造を有している。底部６０は固定貫通孔を有しており、これらの固定貫通孔を通して固定ねじが貫通案内され、個々の成形脚１０のねじ通路１７にねじ込まれることができる。溝１５に対して間隔をおいて成形脚１０は、別の溝１４を有しており、この別の溝１４は同様にアンダカットされて形成されていて、ケーシングの内室に向かって開放している。
【００１４】
溝１４は溝１５と横断面同一に形成されている。従って溝１４内には、溝１５において使用されるのと同じナットを導入することができる。ナットにはホルダ４０を固定することができる。ホルダ４０は、横断面Ｌ字形の成形区分として形成されている。これらのホルダ４０は、固定収容部を備えた支持区分４１を有している。支持区分４１に対して直角に脚４３が配置されている。この脚４３は、溝１４に接続する接触面１３に載設されることができる。脚４３は２つ又はそれ以上の固定収容部又は１つの長孔３３を備えている。これらの固定収容部もしくは長孔３３を用いて、ホルダ４０は、溝１５内に保持されたナットとねじ結合されることができる。複数の固定収容部もしくは長孔３３が脚４３に設けられていることに基づいて、ホルダ４０の種々異なった取付けポジションを実現することができる。このようにして支持区分４１はケーシングの深さ方向において調節されて配置されることができる。支持区分４１は、前面近傍に取り付けられる回路ユニットトラック（Ｂａｕｇｒｕｐｐｅｎｔｒａｅｇｅｒ）を収容するために働き、これらの回路ユニットトラックはケーシングの幅にわたって延在している。回路ユニットトラックは、ケーシングの前面又は背面に向けられていて互いに平行な２つの成形脚１０に固定されることができる。
【００１５】
溝１４に接続して成形脚１０は固定溝１１を有している。この固定溝１１はケーシング背面に向かって（前面の成形脚１０）もしくはケーシング前面に向かって（背面の成形脚１０）開放している。溝スロットには接触面１２が続いており、この接触面１２はケーシングの前面に対して平行に位置している。この接触面１２にはホルダ３０の固定区分３２が載設されている。固定区分３２は２つ又はそれ以上の長孔３３を備えている。これらの長孔３３は溝１１の溝スロットと整合している。長孔３３を通して固定ねじを貫通案内させることができ、かつ固定溝１１内に収容されたナットにねじ込むことができる。ホルダ３０は支持区分３１を有しており、この支持区分３１は図示の実施例では溝として形成されている。この溝はその長手方向が鉛直方向に延びている。アンダカットされた溝（支持区分３１）内にはナットを導入することができる。これらのナットには、ケーシングの幅方向に延びる回路ユニットトラックを固定することができる。回路ユニットトラックはこの場合ホルダ３０を用いて、互いに平行な前面の成形脚１０に固定されている。ホルダ３０はケーシングの前面に対して平行に、２つの取付けポジションの間において往復移動調節可能である。つまりホルダ３０の調節運動は、長孔３３の長手方向端部におけるストッパによって制限される。このようにして、それぞれ１つの規格取付け幅寸法を決定する２つの取付けポジションを決定することができる。これによって、外方に向かってシフトされた位置において両ホルダ１０の間に、１０″回路ユニットトラックを取り付けることができる。ホルダの内方に向かってシフトされたポジションにおいては、９．５″回路ユニットトラックをホルダ３０に固定することができる。
【００１６】
もちろん、ホルダ３０；４０は選択的にケーシング内において使用することができる。
【００１７】
ケーシング外側の領域においては鉛直な成形脚１０が外側収容部を形成しており、これらの外側収容部は鉛直な成形脚１０の成形側部１８と外側面１９とによって制限される。これらの外側収容部には側壁５０を挿入することができる。側壁５０は鉛直な壁区分を有しており、この壁区分はその水平方向の縁部に折り曲げ部５２を備えている。折り曲げ部５２には貫通孔５３が成形されている。これらの貫通孔５３は、底部６０もしくはカバーの横断面同一の貫通孔に対して整合して位置している。整合する貫通孔を介してかつクリップエレメント（Ｃｌｉｐｓｅｌｅｍｅｎｔ）を用いて、側壁５０は底部６０及びカバーと、ひいては鉛直な成形脚１０と結合されることができる。
【００１８】
図１から分かるように、ケーシングの背面には背壁７０が設けられている。背壁７０は金属薄板プレートとして形成されており、この背壁７０にはその縁部側において、クリップエレメントの係止付加部７３が挿入可能である。クリップエレメントはまた別の係止付加部７２を有している。これらの係止付加部７２は固定アングル７４にスナップ結合されている。固定アングル７４は鉛直な成形脚１０の溝１５に固定可能である。
【００１９】
図１からさらに分かるように、底部６０は方形のケーブル案内用貫通孔６１を有している。このケーブル案内用貫通孔６１を通してケーブルは、ケーシングの内室に導入され得る。さらにコネクタ収容部６２が底部６０から打ち抜かれている。このコネクタ収容部６２の領域においてコネクタエレメントをねじ結合することができる。
【図面の簡単な説明】
【図１】
カバーを取り去った状態でケーシングを示す図である。
【図２】
図１の一部を拡大して示す図である。
【国際公開パンフレット】
2004500713.tif 000003
2004500713.tif 000004
2004500713.tif 000005
2004500713.tif 000006
2004500713.tif 000007
2004500713.tif 000008
2004500713.tif 000009
2004500713.tif 000010
2004500713.tif 000011
2004500713.tif 000012
2004500713.tif 000013
2004500713.tif 000014
2004500713.tif 000015
2004500713.tif 000016
【国際調査報告】
2004500713.tif 000017
2004500713.tif 000018
2004500713.tif 000019
2004500713.tif 000020